(57)【要約】【課題】光信号受信装置の受光素子収納部に入射された光信号が射出されることを防いで、受光素子に光信号を確実に受信させ、電子機器の遠隔操作を確実に行うことを低コストで実現する。【解決手段】電子機器に備えられ側部の内面が鏡面加工された受光素子収納部と、前記電子機器を遠隔操作する光信号を受信し前記受光素子収納部に収納された受光素子と、前記受光素子収納部の受信用開口に設置された採光板と、を備える光信号受信装置であって、  前記受光素子収納部は表面が鏡面加工された底部を有することを特徴とする光信号受信装置。【選択図】図２
2005286889.tif 000002
【特許請求の範囲】
【請求項１】
電子機器に備えられ側部の内面が鏡面加工された受光素子収納部と、
前記電子機器を遠隔操作する光信号を受信し前記受光素子収納部に収納された受光素子と、
前記受光素子収納部の受信用開口に設置された採光板と、
を備える光信号受信装置であって、
前記受光素子収納部は表面が鏡面加工された底部を有することを特徴とする光信号受信装置。
【請求項２】
前記底部の形状を曲面状としたことを特徴とする請求項１に記載の光信号受信装置。
【請求項３】
前記採光部品の内面にハーフミラー加工を施したことを特徴とする請求項１又は請求項２に記載の光信号受信装置。
【発明の詳細な説明】
【技術分野】
【０００１】
本発明は、光信号によって遠隔操作される電子機器に設けられた光信号受信装置に関する。
【背景技術】
【０００２】
ＴＶ、エアコン、ビデオテープレコーダなどの電子機器に対してリモコン装置からコントロール信号を送信し遠隔操作することは広く行われており、それらの電子機器には予めコントロール信号を受信するための受信装置が備えられている（特許文献１、特許文献２参照）。この電子機器を遠隔操作する方式の一つとして光信号をコントロール信号とするものがあり、遠隔操作の対象となる電子機器には予め光信号受信装置が備えられている（特許文献３参照）。
【０００３】
図３は従来用いられている光信号受信装置５０の側面断面図である。光信号受信装置５０においては、受光素子収納部５１の内部に、電子回路基板５２に端子５３，５３を半田５４，５４で固定された受光素子５５が収納されている。受光素子収納部５１は無底円筒形状に形成されており、その側部５６の表面には鏡面加工が施されている。受光素子収納部５１には、光信号を受信するための開口部である受信用開口５９が電子機器の表面に設けられている。受信用開口５９には、光信号を採光するための薄板状の採光板６０が装着されている。
【０００４】
そして、図示しないリモコン装置から発信された光信号は、受信用開口５９に設置された採光板６０を透過して受光素子収納部５１の内部に入射された後、受光素子５５に受信されるようになっている。
【０００５】
このとき、採光板６０を透過した光信号のうち、受光素子５５に直接照射されず受光素子収納部５１の側部５６に照射されるものがあるが、このように側部５６に照射された光信号は、側部５６の内面に鏡面加工が施されているため、ほとんど減衰されずに電子回路基板５２の方向に反射される。電子回路基板５２付近に位置する受光素子５５の受光部６１に効率よく受信されるようになっている。
【特許文献１】特開２００１−３３９７８２号公報
【特許文献２】特開平５−２８４５６８号公報
【特許文献３】特開平１０−２１０５７８号公報
【発明の開示】
【発明が解決しようとする課題】
【０００６】
しかし、受光素子収納部５１と電子回路基板５２の間には電子機器の構造上隙間６２が生じてしまう場合があり、例えば、Ｘ方向から入射された光信号は、電子回路基板２２に照射された後に反射されて隙間６２から出射されてしまう場合があった。
【０００７】
また、Ｙ方向から入射された光信号のように電子回路基板５２に照射された後に採光板６０の方向に反射される場合があり、この反射された光信号は、採光板６０から外部に出射されてしまっていた。
【０００８】
さらに、Ｚ方向から入射された光信号のように、側部５６の内面により反射されて電子回路基板５２により反射されて受光素子５５に照射される場合がある。しかし、電子回路基板５２に照射された光信号は、乱反射により減衰して微弱な信号となって反射されることになるため、通常の感度しか有しない受光素子では光信号を適正に受信することができず、電子機器を遠隔により制御することができなかった。
【０００９】
そのため、前記のような場合でも微弱な信号を受信することができる受信感度の高い受光素子を用いれば光信号を適正に受信することも可能ではあるが、そのような受光素子は一般に高価であり、光信号受信装置自体の製造コストが高価になってしまうことになる。さらに汎用の受光素子とは別にその受光素子を管理する為、別途管理費が発生する。
【００１０】
また、汎用の受光素子ではなく受光感度の高い受光素子を用いることは、この受光素子を制御するためのプログラムの開発と回路、機構、デバイス設計の検討、そして品質を保証するための信頼性評価試験を行う手間が発生し、光信号受信装置の開発コストも高価となってしまうという問題がある。
【００１１】
本発明は前記した点に鑑みてなされたものであり、受光素子収納部に入射された光信号を受光素子に確実に受信させ、電子機器の遠隔操作を確実に行うことを低コストで実現することのできる光信号受信装置を提供することを目的とするものである。
【課題を解決するための手段】
【００１２】
上記課題を解決するため、請求項１記載の発明は、電子機器に備えられ側部の内面が鏡面加工された受光素子収納部と、前記電子機器を遠隔操作する光信号を受信し前記受光素子収納部に収納された受光素子と、前記受光素子収納部の受信用開口に設置された採光板と、を備える光信号受信装置であって、前記受光素子収納部は表面が鏡面加工された底部を有することを特徴とする。
【００１３】
請求項２に記載の発明は、請求項１に記載の光信号受信装置において、前記底部の形状を曲面状としたことを特徴とする。
【００１４】
請求項３に記載の発明は、請求項１又は請求項２に記載の光信号受信装置において、前記採光部品の内面にハーフミラー加工を施したことを特徴とする。
【発明の効果】
【００１５】
本発明によれば、受光素子収納部に入射された光信号が受光素子収納部から出射してしまうことを確実に防止して、効率よく受光素子に受光されることができ、その結果、遠隔操作により電子機器の制御を確実に行うことができる。
【００１６】
また、一般的に高価な受光素子を使用する必要がなく、市販の汎用されている受光素子を使用することが可能であるため、受光素子からの信号を制御するためのソフト設定を多くの電子機器で共通化することができ、電子機器の研究開発費用を削減することができる。
【００１７】
また、市販の汎用タイプの受光素子を数多く用いることが可能となるため、同じタイプの受光素子を大量購入して製造費の削減をも実現することができる。
【００１８】
また、所定の電子機器の場合に微弱な信号を感知し得る高感度の受光素子を別途使用する必要がなくなるため、多くの製品において光信号受信装置の部品の数及び種類を同一とすることができるため、管理費を節減することが可能となる。
【発明を実施するための最良の形態】
【００１９】
以下、図面を参照して本発明の実施の形態を詳細に説明する。ただし、発明の範囲は図示例に限定されない。
【００２０】
図１は本発明に係る光信号受信装置が適用される遠隔操作の対象機器であるオーディオ装置１の概略図であり、オーディオ装置１の正面パネル２には、再生・一時停止処理ボタン３、巻戻し処理ボタン４、早送り処理ボタン５およびボリューム調整ボタン６，９がそれぞれ配設されている。このオーディオ装置１の正面パネル２には、光信号受信装置１０が設けられており、図示しないリモコン装置から発信される光信号によるコントロール信号を受信することで、使用者が前記再生・一時停止処理ボタン３等を直接操作しなくても同様の処理を行うことを可能としている。
【００２１】
図２は、前記オーディオ装置１に設けられた本発明に係る光信号受信装置１０の側面断面図である。この光信号受信装置１０は、オーディオ装置１の正面パネル２を凹状に形成してなる円筒状の受光素子収納部１１を有している。受光素子収納部１１は、正面パネル２に連続する円筒状の側部１２を備えており、この側部１２の奥端部には、曲面状の底部１３が一体に形成されている。この底部１３の略中央部には、受光素子を挿入するための受光素子挿入口１４が設けられており、受光素子収納部１１の正面パネル２部分には、光信号を受信するための受信用開口１５が形成されている。
【００２２】
受信用開口１５の内周縁には、内方に突出する突出部１６が一体に形成されており、
この突出部１６の内周面は、正面パネル２の表面側の内径が大きくなるようにテーパ状に形成されている。
【００２３】
また、受光素子収納部１１の側部１２および底部１３の内面には、それぞれ鏡面加工が施されている。鏡面加工は、蒸着・メッキ加工等いずれの形成手段を用いるようにしてもよい。
【００２４】
また、受光素子収納部１１の受信用開口１５には、曲面状に形成された採光板１９が配設されており、採光板１９は、例えば、透明アクリル樹脂又は透明ポリカーボネート樹脂等の光信号を透過しやすい材料で形成されている。採光板１９の外周縁には、外周方向に突出する係止片２０が一体に形成されており、この係止片２０の外周面は、受光素子収納部１１の内側の内径が小さくなるようにテーパ状に形成されている。そして、採光板１９の係止片２０を受光素子収納部１１の突出部１６に係合させることにより、採光板１９を受光素子収納部１１の受信用開口１５を閉塞するように装着することができるようになっている。
【００２５】
採光板１９の内面２１には、側部１２又は底部１３の内面により反射された光信号を受光素子収納部１１から射出させないようにするためハーフミラー加工が施されている。
【００２６】
なお、本実施形態においては、受光素子収納部１１の側部１２、底部１３および採光板１９の形状は、前述した形状に限定されるものではなく、例えば、底部１３および採光板１９を平面状に形成するようにしてもよく、また、側部１２を曲面状に形成するようにしてもよい。
【００２７】
また、受光素子収納部１１の背面側には、所定の電気・電子部品が搭載された電子回路基板２２が配設されており、この電子回路基板２２には、光信号を受信するための受光素子２３が接続されている。受光素子２３は、光信号を受信するための受光部２４とこの受光部２４を支持する端子２５，２５とにより構成されており、端子２５，２５を半田２６，２６により電子回路基板２２に固定することにより、受光素子２３を支持するとともに、電子回路基板２２に対して電気的に接続されるようになっている。端子２５，２５は、受光部２４ができる限り電子回路基板２２から離隔するように電子回路基板２２から突き出ている部分が長めに残された状態で電子回路基板２２に固定されている。
【００２８】
なお、本実施形態において用いられている受光素子２３は市販されているものであって、汎用されている受光素子が通常有する程度の受信感度を有するものである。
【００２９】
また、受光素子挿入口１４は、入射された光信号が電子回路基板２２側に射出されることを防ぐため、受光素子２３が挿入されるのに必要際最小限の大きさとされている。受光素子挿入口１４は一つである必要はなく、受光素子２３の端子２５，２５がそれぞれ貫通し得る程度の大きさの２つの受光素子挿入口を設けるようにしてもよい。この場合には、受光素子２３を底部１３の鏡面加工がされた面の側から、前記２つの受光素子挿入口に端子２５，２５を貫通させて電子回路基板２２に固定させるものとする。
【００３０】
さらに、本実施形態における受光素子収納部１１はオーディオ装置１の正面パネル２と一体に形成されているが、前述した受光素子収納部１１と同様の形状を持つ部材を別途オーディオ装置１の筐体内に取り付けることとしてもよい。
【００３１】
次に、本実施の形態の光信号受信装置１０の作用について説明する。
【００３２】
まず、図示しないリモコン装置より光信号を光信号受信装置１０の採光板１９に向けて照射する。すると、この光信号は採光板１９から受光素子収納部１１の内部に入射され、受光素子２３の受光部２４により受信される。そして、光信号を受信したオーディオ装置１は、光信号の制御内容に応じて動作を行うようになっている。
【００３３】
この場合に、例えば、Ａ方向から採光板１９に入射した光信号は、側部１２の内面により反射され、側部１２の内面は鏡面加工が施されているので、光信号は側部１２に照射された際の入射角と同等の反射角をもってほとんど減衰することなく反射され、受光部２４に受信される。
【００３４】
また、例えば、Ｂ方向から採光板１９に入射した光信号は、側部１２の内面により反射されるとともに、鏡面加工が施された底部１３の内面により反射され、受光部２４に受信される。
【００３５】
さらに、例えば、Ｃ方向から採光板１９に入射した光信号は、底部１３の内面により反射され、さらに、採光板１９の内面２１に照射される。内面２１にはハーフミラー加工が施されているため、光信号は採光板１９を透過することなく、かつほとんど減衰することなく反射し、受光部２４に受信される。
【００３６】
このように本実施形態においては、あらゆる方向から採光板１９に入射した光信号を適正に反射させて受光部２４に集光させることができるものである。
【００３７】
以上のように本実施形態においては、受光素子収納部１１の底部１３および側部１２の内面にそれぞれ鏡面加工を施すとともに、採光板１９の内面２１にハーフミラー加工を施すことにより、あらゆる方向から採光板１９に入射した光信号を適正に反射させて受光部２４に集光させることができるので、光信号が受光素子収納部１１の外部に出射してしまうことを防止して、光信号を効率よくかつ確実に受光素子２３の受光部２４に受光させることができる。その結果、比較的感度が高くない汎用の受光素子を用いた場合でも、オーディオ装置１の遠隔操作を確実に行うことができ、製造コストの低減を図ることができる。
なお、上記においてはオーディオ装置にのみ言及しているが、本発明はこれに限定されるものではなく、ＡＶ機器やナビゲーション機器等について用いることも可能である。
【図面の簡単な説明】
【００３８】
【図１】本発明に係る光信号受信装置を備えたオーディオ装置の実施の形態を示す概略斜視図。
【図２】本発明に係る光信号受信装置の実施の形態を示す側面断面図。
【図３】従来の光信号受信装置を示す側面断面図。
【符号の説明】
【００３９】
１     オーディオ装置
２     正面パネル
３     再生・一時停止処理ボタン
４     巻戻し処理ボタン
５     早送り処理ボタン
６     ボリューム調整ボタン
９     ボリューム調整ボタン
１０   光信号受信装置
１１   受光素子収納部
１２   側部
１３   底部
１４   受光素子挿入口
１５   受信用開口
１６   突出部
１９   採光板
２０   係止片
２１   内面
２２   電子回路基板
２３   受光素子
２４   受光部
２５   端子
２６   半田
５０   光信号受信装置
５１   受光素子収納部
５２   電子回路基板
５３   端子
５４   半田
５５   受光素子
５６   側部
５９   受信用開口
６０   採光板
６１   受光部
６２   隙間
【図１】
2005286889.tif 000003
【図２】
2005286889.tif 000004
【図３】
2005286889.tif 000005